(57)【要約】【課題】躯体の大きな変動にも柔軟に追従し、躯体の変動を確実に吸収する。【解決手段】この天井用カバー１では、カバー３０は壁躯体側の支持アーム３１のピン挿通部３１０に壁躯体のガイドレール２０上のガイドピン２２が通されて、開口Ｓ０上に配置され、併せてカバー位置保持部材４０によりカバーの水平が維持され下方への回転が規制される。そして、位置決めバー５１がカバー乗上案内部１０の段部１０Ｆに係止されてカバーが開口上に位置決めされ、横ずれ防止バー５２がカバー乗上案内部１０のバー挿通部５２０を通されてカバーが開口上に支持されるとともにカバーの横ずれが防止される。【選択図】図１
2009221709.tif 000002
【特許請求の範囲】
【請求項１】
相互に隣接する一方の建築物の天井躯体と他方の建築物の壁躯体との間に形成された間隙に設置され、前記天井躯体に取り付けられた天井材と前記壁躯体との間の開口を塞ぐ天井用エキスパンションジョイントカバーにおいて、
前記天井材の前記開口側縁部に形成され、前記開口に向けて下り傾斜のカバー乗上案内部と、
前記壁躯体に、前記開口よりも上方の高さに固着されて、前記間隙の長手方向に延びるガイドレールと、
前記ガイドレールに沿って移動可能なガイド部材、及び当該ガイド部材に固定され、前記ガイドレールの上方に突出されて、前記ガイドレール上で前記ガイド部材とともに移動可能なガイドピンと、
前記壁躯体側の一端に立ち上がり部と前記立ち上がり部から前記壁躯体に向けて水平に延び、前記ガイドレール上で前記ガイドピンを挿通可能なピン挿通部を有する支持アームを具備し、当該支持アームのピン挿通部に前記ガイドピンが挿通されて前記開口に配置され、当該開口を塞ぐカバーと、
前記カバーと前記壁躯体との間に介在されて、前記カバーを水平に維持するとともに下方への回転を規制するカバー位置保持部材と、
前記カバー上に前記天井材に向けて突設され、前記カバーと前記天井材との間に架け渡されて、前記カバーを前記開口上に支持するカバー支持部材と、
前記カバーと前記天井材との間に設けられて、前記カバーの前記開口の長手方向への変位を規制するカバーずれ防止部材と、
を備えた、
ことを特徴とする天井用エキスパンションジョイントカバー。
【請求項２】
前記ガイドレールは上面に長手方向に向けてガイドスリットを有する筒形形状に形成され、前記ガイド部材は前記ガイドレール内に嵌合可能にかつ当該ガイドレール内で摺動可能若しくはスライド可能な断面形状に形成され、前記ガイドピンは所定の長さを有し、前記ガイド部材に前記ガイドスリットを通じて前記ガイドレール上に突出可能に取り付けられる請求項１に記載の天井用エキスパンションジョイントカバー。
【請求項３】
前記カバー位置保持部材は、前記カバーの前記壁躯体に対向する一方の側部に前記壁躯体側に向けて水平に突設され、前記ガイドレールの下方所定の位置で垂直な面を有するカバー側の部材と、前記ガイドレールの下部に垂設され、又は前記壁躯体に固定され、前記ガイドレールの下方所定の位置で垂直な面を有する壁躯体側の部材とからなり、前記カバー側の部材の垂直な面と前記壁躯体側の部材の垂直な面との衝接により、前記カバーを保持する請求項１又は２に記載の天井用エキスパンションジョイントカバー。
【請求項４】
前記カバー支持部材は、前記カバー上に前記天井材側のカバー乗上案内部に向けて突設され、前記カバー乗上案内部に形成されて水平方向に突出する段部に係止されて、前記カバーを前記開口上の正規の位置に位置決めする請求項１乃至３のいずれかに記載の天井用エキスパンションジョイントカバー。
【請求項５】
前記カバー支持部材は、前記天井材上に向けて突設され、前記天井材の前記カバー乗上案内部に形成され、前記カバー支持部材を挿通し、前記間隙の幅方向に移動可能な支持部材挿通部に通されて、前記カバーを前記開口上に支持する請求項１乃至３のいずれかに記載の天井用エキスパンションジョイントカバー。
【請求項６】
前記支持部材挿通部は前記カバー支持部材の前記開口の長手方向へのずれを規制可能に形成され、前記カバー支持部材とともに、前記カバーの横ずれ防止部材として構成される請求項５に記載の天井用エキスパンションジョイントカバー。
【発明の詳細な説明】
【技術分野】
【０００１】
本発明は、相互に隣接する建築物の一方の天井躯体と他方の壁躯体との間に形成された間隙に設置され、天井躯体に取り付けられた天井材と壁躯体との間の開口を塞ぐ天井用エキスパンションジョイントカバーに関する。
【背景技術】
【０００２】
従来から、一定の間隙をおいて建築された建築物の天井躯体と壁躯体との間の間隙をカバーで塞ぐ天井用エキスパンションジョイントカバーが知られており、この種の天井用エキスパンションジョイントカバーが特許文献１などに記載されている。この文献１の天井用エキスパンションジョイントカバーでは、間隙をおいて相対する壁躯体と天井躯体のうち、壁躯体に固定部材が取り付けられ、天井躯体の天井材の裏側に間隙に沿って複数の支持部材が一定間隔で配置され、各支持部材の一端は天井躯体側の天井材又は天井下地材に、他端は壁躯体の固定部材にそれぞれ支持される。そして天井躯体間の表側で間隙を覆うカバーが支持部材に設けた吊金具に吊持される。この場合、カバーは両端に係合片を備え、固定部材の下部と天井材の下面係合部に係合可能になっている。このようにして天井躯体と壁躯体が震動、不同沈下、温度変化などにより変動した場合に、吊金具が傾いたり、支持部材が変位したりするが、支持部材は天井躯体側及び壁躯体側から外れることがなく、この支持部材に吊金具が保持されて、カバーは吊金具により変位に対応して保持される。このとき、カバーは両端部の各係合片が固定部材の下部と天井材の下面係合部に係合されることにより、カバーが固定部材と天井材から外れるのを防止される。
【０００３】
【特許文献１】特開平１０−８５７７号公報
【発明の開示】
【発明が解決しようとする課題】
【０００４】
しかしながら、上記従来の天井用エキスパンションジョイントカバーでは、カバーが天井躯体側の支持部材に設けられた吊金具に吊持され、カバー両端部の各係合片により、壁躯体側の固定部材の下部と天井躯体側の天井材の下面係合部に係合されるため、建築物に地震その他の外力を受けた場合に、躯体の小さな揺れ動きには追従することができるものの、免震構造の建物のように躯体の大きな変動（揺れ動き）に追従することは難しく、免震構造の建築物に使用することができない、という問題がある。
【０００５】
本発明は、このような従来の問題を解決するもので、この種の天井用エキスパンションジョイントカバーにおいて、簡易な構造のエキスパンションジョイント機構により、免震構造の建築物のように躯体の大きな変動にも柔軟に追従して躯体の変動を確実に吸収すること、を目的とする。
【課題を解決するための手段】
【０００６】
上記の問題を解決するために、本発明の天井用エキスパンションジョイントカバーは、相互に隣接する一方の建築物の天井躯体と他方の建築物の壁躯体との間に形成された間隙に設置され、前記天井躯体に取り付けられた天井材と前記壁躯体との間の開口を塞ぐ天井用エキスパンションジョイントカバーにおいて、前記天井材の前記開口側縁部に形成され、前記開口に向けて下り傾斜のカバー乗上案内部と、前記壁躯体に、前記開口よりも上方の高さに固着されて、前記間隙の長手方向に延びるガイドレールと、前記ガイドレールに沿って移動可能なガイド部材、及び当該ガイド部材に固定され、前記ガイドレールの上方に突出されて、前記ガイドレール上で前記ガイド部材とともに移動可能なガイドピンと、前記壁躯体側の一端に立ち上がり部と前記立ち上がり部から前記壁躯体に向けて水平に延び、前記ガイドレール上で前記ガイドピンを挿通可能なピン挿通部を有する支持アームを具備し、当該支持アームのピン挿通部に前記ガイドピンが挿通されて前記開口に配置され、当該開口を塞ぐカバーと、前記カバーと前記壁躯体との間に介在されて、前記カバーを水平に維持するとともに下方への回転を規制するカバー位置保持部材と、前記カバー上に前記天井材に向けて突設され、前記カバーと前記天井材との間に架け渡されて、前記カバーを前記開口上に支持するカバー支持部材と、前記カバーと前記天井材との間に設けられて、前記カバーの前記開口の長手方向への変位を規制するカバーずれ防止部材と、を備えたことを要旨とする。
【０００７】
また、この天井用エキスパンションジョイントカバーでは、各部に次のような構成が採用される。
（１）前記ガイドレールは上面に長手方向に向けてガイドスリットを有する筒形形状に形成され、前記ガイド部材は前記ガイドレール内に嵌合可能にかつ当該ガイドレール内で摺動可能若しくはスライド可能な断面形状に形成され、前記ガイドピンは所定の長さを有し、前記ガイド部材に前記ガイドスリットを通じて前記ガイドレール上に突出可能に取り付けられる。
（２）前記カバー位置保持部材は、前記カバーの前記壁躯体に対向する一方の側部に前記壁躯体側に向けて水平に突設され、前記ガイドレールの下方所定の位置で垂直な面を有するカバー側の部材と、前記ガイドレールの下部に垂設され、又は前記壁躯体に固定され、前記ガイドレールの下方所定の位置で垂直な面を有する壁躯体側の部材とからなり、前記カバー側の部材の垂直な面と前記壁躯体側の部材の垂直な面との衝接により、前記カバーを保持する。
（３）前記カバー支持部材は、前記カバー上に前記天井材のカバー乗上案内部に向けて突設され、前記カバー乗上案内部に形成されて水平方向に突出する段部に係止されて、前記カバーを前記開口上の正規の位置に位置決めする。
（４）前記カバー支持部材は、前記天井材上に向けて突設され、前記天井材の前記カバー乗上案内部に形成され、前記カバー支持部材を挿通し、前記間隙の幅方向に移動可能な支持部材挿通部に通されて、前記カバーを前記開口上に支持する。
（５）前記支持部材挿通部は前記カバー支持部材の前記開口の長手方向へのずれを規制可能に形成され、前記カバー支持部材とともに、前記カバーの横ずれ防止部材として構成される。
【発明の効果】
【０００８】
本発明の天井用エキスパンションジョイントカバーは、上記の構成により、簡易な構造のエキスパンションジョイント機構により、免震構造の建築物のように躯体の大きな変動にも柔軟に追従して躯体の変動を確実に吸収することができる。
【発明を実施するための最良の形態】
【０００９】
この発明の一実施の形態について図を用いて説明する。図１に示すように、天井用エキスパンションジョイントカバーは、相互に隣接する一方の建築物の天井躯体Ｓ１と他方の建築物の壁躯体Ｓ２との間に形成された間隙Ｓに設置され、天井躯体Ｓ１に取り付けられた天井材Ｓ１０と壁躯体Ｓ２との間の開口Ｓ０を塞ぐようになっている。この天井用エキスパンションジョイントカバー１は、天井材Ｓ１０の開口Ｓ０側縁部に形成されるカバー乗上案内部１０と、壁躯体Ｓ２に固着されるガイドレール２０、ガイドレール２０に移動可能に配置されるガイド部材２１、及びガイド部材２１に固定されてガイドレール２０上を移動可能なガイドピン２２と、壁躯体Ｓ２側の端部に設けられた支持アーム３１のピン挿通部３１０にガイドレール２０上のガイドピン２２を通して、開口Ｓ０上に配置されるカバー３０と、カバー３０と壁躯体Ｓ２との間に介在されるカバー位置保持部材４０と、カバー３０上に天井材Ｓ１０側に向けて突設され、カバー３０と天井材Ｓ１０側との間に架け渡されるカバー支持部材５０と、カバー３０と天井材Ｓ１０との間に設けられる、カバー横ずれ防止部材６０とを備えて構成される。以下、各部について、図１及び図２を用いて詳しく説明する。
【００１０】
カバー乗上案内部１０は天井材Ｓ１０の開口Ｓ０側縁部に沿って形成された開口Ｓ０に向けて下り傾斜の傾斜面で、この場合、天井材Ｓ１０の開口Ｓ０側縁部にステンレス鋼その他の金属板により形成される。また、このカバー乗上案内部１０の場合、下部に対して上部側が開口Ｓ０から少し後退された位置に形成され、下部の開口Ｓ０に向けて下り傾斜の傾斜面１０Ｄと、上部側の開口Ｓ０に向けて下り傾斜の傾斜面１０Ｕと、これら下部傾斜面１０Ｄと上部側傾斜面１０Ｕとの間で開口Ｓ０に向けて水平に突出する段部１０Ｆとを有する。地震その他の外力により躯体Ｓ１、Ｓ２が間隙Ｓの幅方向に変動し、開口Ｓ０が狭められた場合に、このカバー乗上案内部１０により、カバー３０を天井材Ｓ１０上に乗り上げ案内する。
【００１１】
ガイドレール２０は間隙Ｓの長手方向に延びるレールで、この場合、メッキ鋼板その他の金属製の板材により、上面の幅方向中央に長さ方向に向けてガイドスリット２０１を有する断面略四角形の筒形形状に形成され、内面全体がガイド面として構成される。このガイドレール２０は開口Ｓ０よりも上方の所定の高さに固着される。ガイド部材２１はガイドレール２０内に嵌合可能に、かつこのガイドレール２０内で摺動可能に又はスライド可能な断面略四角形の筒形形状に形成され、この場合、ステンレス鋼その他の金属製の角パイプが使用される。ガイドピン２２はガイドレール２０上面のガイドスリット２０１に挿通可能な所定の長さを有する軸で、この場合、ステンレス鋼その他の金属製の（丸）棒材により形成されて、ガイド部材２１の平面中心に挿通固着される。ガイド部材２１がガイドレール２０内に嵌め込まれて、ガイドピン２２はガイドスリット２０１を通してガイドレール２０の上方に突出され、ガイドレール２０上にガイド部材２１とともに移動可能に配置される。
【００１２】
カバー３０は、開口Ｓ０の外形に対応する大きさ及び形状を有するベースフレーム３０１と、このベースフレーム３０１の下部に張設固定されて、開口Ｓ０全体を閉塞可能なカバー本体３０２とからなり、ベースフレーム３０１上で壁躯体Ｓ２側の一端に立ち上がり部３０３と立ち上がり部３０３から壁躯体Ｓ２に向けて水平に延び、ガイドレール２０上でガイドピン２２を挿通可能なピン挿通部３１０を有する支持アーム３１を具備する。この場合、ベースフレーム３０１はステンレス鋼その他の鋼材、例えばチャンネル材などにより略四角形の枠状に組まれて構成され、また天井材Ｓ１０側の側部にカバー乗上案内部１０の下部傾斜面１０Ｄに面接触可能に天井材Ｓ１０に向けて上り傾斜の傾斜面３１１が形成される。カバー本体３０２は一般に使用されるシート材からなり、ベースフレーム３０１の各部間に張り付けられる。立ち上がり部３０３は所定の高さを有するアーム支持台で、この場合、ステンレス鋼その他の金属板により断面コ字形に形成されて構成される。この立ち上がり部３０３はベースフレーム３０１上に開口Ｓ０の幅方向に向けて取り付けられて、天井材Ｓ１０のカバー乗上案内部１０に向けて突出される、後述するカバー支持部材５０の壁躯体Ｓ２側の端部に、立ち上がり部３０３の下部開放端が固着されて、（カバー３０が開口Ｓ０上の正規の位置に配置された状態で）ベースフレーム３０１上に壁躯体２のガイドレール２０の上面と略同じかそれよりも少し上方の高さに立ち上げられる。支持アーム３１は立ち上がり部３０３の上面に一体的に設けられて、上面から壁躯体Ｓ２側に向けて水平に先端がガイドレール２０上まで延ばされ、先端にガイドレール２０上のガイドピン２２を挿通可能なピン挿通部３１０が設けられる。このカバー３０は、壁躯体Ｓ２側の支持アーム３１のピン挿通部３１０に壁躯体Ｓ２のガイドレール２０上のガイドピン２２が挿通されて、開口Ｓ０上に配置され、当該開口Ｓ０を塞ぐ。
【００１３】
カバー位置保持部材４０は、カバー３０の壁躯体Ｓ２に対向する側部に壁躯体Ｓ２側に向けて水平に突設され、ガイドレール２０の下方所定の位置で垂直な面を有するカバー側の部材４１と、ガイドレール２０の下部に垂設され、ガイドレール２０の下方所定の位置で垂直な面を有する壁躯体側の部材４２とにより構成される。この場合、カバー側の部材４１は、ステンレス鋼その他の金属製の角パイプからなり、（カバー３０の）ベースフレーム３０１の壁躯体Ｓ２に対向する側部の上部に、角パイプの一面（垂直面４１１）を壁躯体Ｓ２側に向けて水平にガイドレール２０の下方所定の位置まで突出させて固定される。壁躯体側の部材４２は、ステンレス鋼その他の金属板からなり、断面逆Ｌ字形に曲げ加工されて、その垂直面４２１がガイドレール２０の下方所定の位置に配置されて、水平面４２２がガイドレール２０の下面に固着され、さらに、垂直面４２１が壁躯体Ｓ２に固定される。このようにしてカバー位置保持部材４０がカバー３０と壁躯体Ｓ２との間に介在されて、カバー側の部材４１の垂直面４１１と壁躯体側の部材４２の垂直面４２１が衝接可能に構成され、これら垂直な面４１１、４２１の衝接により、カバー３０を水平に維持するとともに下方への回転を規制する。
【００１４】
カバー支持部材５０はカバー３０上に天井材Ｓ１０に向けて突設され、カバー３０と天井材Ｓ１０との間に架け渡されてカバー３０を開口Ｓ０上に支持する部材で、この天井用エキスパンションジョイントカバー１の場合、カバー３０を開口Ｓ０上の正規の位置に位置決めするカバー支持部材５１（以下、位置決めバー５１という。）と、カバー３０の開口Ｓ０の長手方向への変位を規制するカバー支持部材５２（以下、横ずれ防止バー５２という。）とを備える。位置決めバー５１はカバー３０の幅方向よりも少し長いバーで、金属製の杆材からなり、カバー３０のベースフレーム３０１上に開口Ｓ０の幅方向に向けて設置固定され、天井材Ｓ１０側の端部がベースフレーム３０１上からカバー乗上案内部１０に向けて突出されて、カバー乗上案内部１０の段部１０Ｆに係止可能に構成され、また天井材Ｓ１０側の突出端にカバー乗上案内部１０の上部側傾斜面１０Ｕに面接触可能に天井材Ｓ１０に向けて上り傾斜の傾斜面５１１が形成される。このようにして位置決めバー５１はカバー乗上案内部１０の段部１０Ｆに係止され、カバー３０を開口Ｓ０上の正規の位置に位置決めする。横ずれ防止バー５２はカバー３０上から天井材Ｓ１０上に延びる所定の長さを有する長いバーで、金属製の杆材からなり、ベースフレーム３０１上に開口Ｓ０の幅方向に向けて設置固定され、ベースフレーム３０１上から天井材Ｓ１０上に向けて延ばされる。天井材Ｓ１０のカバー乗上案内部１０には横ずれ防止バー５２のバー挿通部５２０が形成され、横ずれ防止バー５２がこのバー挿通部５２０を通して天井材Ｓ１０上に架け渡される。このバー挿通部５２０は横ずれ防止バー５２の開口Ｓ０の長手方向へのずれ（変位）を規制し、開口Ｓ０の幅方向に移動可能に、横ずれ防止バー５２の対向面となるカバー乗上案内部１０の一部が上部から横ずれ防止バー５２の幅寸法と略同じか少し大きい寸法だけ切り欠かれて形成される。このようにして横ずれ防止バー５２はカバー乗上案内部１０のバー挿通部５２０に開口Ｓ０の幅方向に移動可能に通されて、カバー３０を開口Ｓ０上に支持するとともに、この横ずれ防止バー５２とバー挿通部５２０とによりカバー横ずれ防止部材６０が構成され、横ずれ防止バー５２がバー挿通部５２０に通されて、横ずれ防止バー５２の開口Ｓ０の長手方向へのずれを規制し、カバー３０の横ずれを防止する。なお、この場合、カバー横ずれ防止バー５２は所定の長さを有する角パイプからなり、カバー３０のベースフレーム３０１の特に開口Ｓ０の幅方向に向けられたフレーム上に台座の角パイプ５３を介在して、断面コ字形の拘束部材５４により台座の角パイプ５３とともに拘束固定されて固着される。
【００１５】
このようにして天井躯体Ｓ１と壁躯体Ｓ２との間の間隙Ｓに天井用エキスパンションジョイントカバー１が設置されて、天井躯体Ｓ１に取り付けられた天井材Ｓ１０と壁躯体Ｓ２との間の開口Ｓ０がカバー３０により閉塞される。この場合、カバー３０は、初期の体勢として、壁躯体Ｓ２側の支持アーム３１のピン挿通部３１０に壁躯体Ｓ２のガイドレール２０上のガイドピン２２が挿通されて、開口Ｓ０上に配置され、カバー側の部材４１の垂直面４１１と壁躯体側の部材４２の垂直面４２１との衝接により、カバー３０の水平が維持されるとともに下方への回転を規制される。そして、カバー３０上の位置決めバー５１がカバー乗上案内部１０の段部１０Ｆに係止されて、カバー３０が開口Ｓ０上の正規の位置に位置決めされ、さらに、カバー３０上の横ずれ防止バー５２がカバー乗上案内部１０のバー挿通部５２０を通されて開口Ｓ０の長手方向へのずれを規制され、開口Ｓ０の幅方向に移動可能に天井材Ｓ１０上に延ばされることにより、カバー３０が開口Ｓ０上に支持されるとともに、カバー３０の横ずれが防止される。
【００１６】
そして、地震その他の外力により、躯体Ｓ１、Ｓ２が間隙Ｓの幅方向に変動し、間隙Ｓが狭められた場合、カバー３０は、壁躯体Ｓ２側の支持アーム３１（のピン挿通部３１０）が壁躯体Ｓ２のガイドレール２０上のガイドピン２２に沿って上方に変位しながら、ベースフレーム３０１の天井材Ｓ１０側側部の傾斜面３１１及び位置決めバー５１の突出端の傾斜面５１１が天井材Ｓ１０のカバー乗上案内部１０の下部傾斜面１０Ｄ及び上部側傾斜面１０Ｕに面接触して上方にスライド移動し、カバー３０はカバー乗上案内部１０に沿って押し上げられ、天井材Ｓ１０上に乗り上げて、躯体Ｓ１、Ｓ２の変動に柔軟に追従し、躯体Ｓ１、Ｓ２の変動を確実に吸収する。なお、地震その他の外力が止み、躯体Ｓ１、Ｓ２が元の位置に戻された場合、横ずれ防止バー５２が天井材Ｓ１０のカバー乗上案内部１０のバー挿通部５２０に通されて、カバー３０の復帰位置が規制されるので、カバー３０は元の位置で初期の体勢に確実に復帰する。
【００１７】
反対に、躯体Ｓ１、Ｓ２が間隙Ｓの幅方向に変動し、間隙Ｓが拡げられた場合、カバー３０は、位置決めバー５１が天井材Ｓ１０のカバー乗上案内部１０の段部１０Ｆから離れて、天井躯体Ｓ１から切り離され、他方で、壁躯体Ｓ２側の支持アーム３１のピン挿通部３１０に壁躯体Ｓ２のガイドレール２０上のガイドピン２２が挿通され、また、カバー側の部材４１の垂直面４１１と壁躯体側の部材４２の垂直面４２１との衝接により、カバー３０の下方への回転が規制され、そして、横ずれ防止バー５２がカバー乗上案内部１０のバー挿通部５２０に通されてカバー３０が開口Ｓ０上に支持されるので、カバー３０は壁躯体Ｓ２側に支持されて壁躯体Ｓ２の動きに柔軟に追従し、躯体Ｓ１、Ｓ２の変動を確実に吸収する。なお、地震その他の外力が止み、躯体Ｓ１、Ｓ２が元の位置に戻された場合、横ずれ防止バー５２が天井材Ｓ１０のカバー乗上案内部１０のバー挿通部５２０に通されて、カバー３０の復帰位置が規制されるので、カバー３０は元の位置で初期の体勢に確実に復帰する。
【００１８】
また、躯体Ｓ１、Ｓ２が間隙Ｓの長手方向に変動した場合は、カバー３０は、横ずれ防止バー５２が天井材Ｓ１０のカバー乗上案内部１０のバー挿通部５２０に通されて、カバー３０の横ずれが規制されるので、天井躯体Ｓ１と同じ動きを取り、壁躯体Ｓ２に対して、ガイドレール２０上のガイドピン２２がカバー３０の壁躯体Ｓ２側の支持アーム３１（のピン挿通部３１０）に挿通されて、カバー３０がガイドレール２０上のガイド部材２１と一体に壁躯体Ｓ２に沿って移動できるので、躯体Ｓ１、Ｓ２の変動に柔軟に追従し、躯体Ｓ１、Ｓ２の変動を確実に吸収する。なお、地震その他の外力が止み、躯体Ｓ１、Ｓ２が元の位置に戻された場合、横ずれ防止バー５２が天井材Ｓ１０のカバー乗上案内部１０のバー挿通部５２０に通されて、カバー３０の横ずれが規制されるので、カバー３０は元の位置で初期の体勢に確実に復帰する。
【００１９】
以上説明したように、この天井用エキスパンションジョイントカバー１では、カバー３０が、壁躯体Ｓ２側の支持アーム３１０のピン挿通部３１０に壁躯体Ｓ２のガイドレール２０上のガイドピン２２が挿通されて、開口Ｓ０上に配置され、併せて、カバー側の部材４１の垂直な面４１１と壁躯体側の部材４２の垂直な面４２１との衝接により、カバー３０の水平が維持されるとともに下方への回転を規制され、そして、カバー３０上の位置決めバー５１がカバー乗上案内部１０の段部１０Ｆに係止されて、カバー３０が開口Ｓ０上の正規の位置に位置決めされ、さらに、カバー３０上の横ずれ防止バー５２がカバー乗上案内部１０のバー挿通部５２０を通されて開口Ｓ０の長手方向へのずれを規制し、開口Ｓ０の幅方向に移動可能に天井材Ｓ１０上に延ばされることにより、カバー３０が開口Ｓ０上に支持されるとともに、カバー３０の横ずれが防止されるので、簡易な構造のエキスパンションジョイント機構でありながら、免震構造の建築物のような躯体の大きな変動にも柔軟に追従して躯体の変動を確実に吸収することができ、また躯体が元の位置に戻された場合でも、カバー３０を元の位置で初期の体勢に確実に復帰させることができる。
【００２０】
なお、この実施の形態では、カバー位置保持部材４０のカバー側の部材４１が角パイプで構成されているが、カバー３０の壁躯体Ｓ２に対向する一方の側部に壁躯体Ｓ２側に向けて水平に突設され、ガイドレール２０の下方所定の位置で垂直な面を有するものであれば、その全体形状は任意である。また、壁躯体側の部材４２に断面逆Ｌ字形に曲げ加工された板材が採用されているが、これもまたガイドレール２０の下方所定の位置で垂直な面を有するものであれば、その全体の形状は任意であり、またその取り付け位置も任意で、ガイドレール２０の下面ではなく、壁躯体Ｓ２に直接固着されてもよい。
【００２１】
また、この実施の形態では、天井材Ｓ１０側のカバー乗上案内部１０に水平方向に突出する段部１０Ｆが形成され、位置決めバー５１がこの段部１０Ｆに係止されているが、カバー乗上案内部１０に段部に代えて凹部が形成されて、位置決めバー５１がこの凹部に係止されてもよい。
【図面の簡単な説明】
【００２２】
【図１】本発明の一実施の形態における天井用エキスパンションジョイントカバーの斜視図
【図２】同天井用エキスパンションジョイントカバーの断面側面図
【符号の説明】
【００２３】
Ｓ１  天井躯体
Ｓ１０  天井材
Ｓ２  壁躯体
Ｓ  間隙
Ｓ０  開口
１  天井用エキスパンションジョイントカバー
１０  カバー乗上案内部
１０Ｄ  下部傾斜面
１０Ｕ  上部側傾斜面
１０Ｆ  段部
２０  ガイドレール
２０１  ガイドスリット
２１  ガイド部材
２２  ガイドピン
３０  カバー
３０１  ベースフレーム
３１１  傾斜面
３０２  カバー本体
３０３  立ち上がり部（アーム支持台）
３１  支持アーム
３１０  ピン挿通部
４０  カバー位置保持部材
４１  カバー側の部材
４１１  垂直面
４２  壁躯体側の部材
４２１  垂直面
４２２  水平面
５０  カバー支持部材
５１  カバー支持部材（位置決めバー）
５１１  傾斜面
５２  カバー支持部材（横ずれ防止バー）
５２０  バー挿通部
５３  台座（角パイプ）
５４  拘束部材
６０  カバー横ずれ防止部材
【図１】
2009221709.tif 000003
【図２】
2009221709.tif 000004